(57)【特許請求の範囲】
【請求項１】
紙葉類を受け入れる入金口と、
紙葉類を取り出す複数の取り出し口と、
紙葉類の種別および向きを判別する識別部と、
紙葉類の種別および向きを記憶する記憶部と、
紙葉類を一時的に集積する一時保留部と、
を備える紙葉類取扱装置において、
前記複数の取り出し口は、紙葉類を払い出す出金口と、紙葉類を返却する返却口とから構成され、
該入金口から受け入れた特定の紙葉類の種別および向きを該識別部で判別し、該識別部で判別された特定の紙葉類の種別および向きを該記憶部で記憶し、当該記憶した特定の紙葉類と種別および向きが同じ紙葉類を該出金口へ、該特定の紙葉類と種別が同じで向きが異なる紙葉類を該一時保留部へ、それ以外の紙葉類を該返却口に分別して集積することを特徴とする紙葉類取扱装置。
【請求項２】
紙葉類を受け入れる入金口と、
紙葉類を取り出す複数の取り出し口と、
該紙葉類の種別および汚れの大きさを判別する識別部と、
該紙葉類の種別と、該紙葉類の汚れの程度を段階化した汚れレベルとを記憶する記憶部と、
紙葉類を一時的に集積する一時保留部と、
を備える紙葉類取扱装置において、
前記複数の取り出し口は、紙葉類を払い出す出金口と、紙葉類を返却する返却口とから構成され、
該入金口から受け入れた特定の紙葉類の種別および汚れの大きさを該識別部で判別し、
該判別された特定の紙葉類の種別および汚れレベルを記憶し、
当該記憶した特定の紙葉類と種別が同じで、当該記憶した特定の紙葉類の汚れレベルと同等又はそれより汚れていない状態に相当する汚れレベルである紙葉類を該出金口へ、当該記憶した特定の紙葉類と種別が同じで、該特定の紙葉類の汚れレベルより汚れている状態に相当する汚れレベルである紙葉類を該一時保留部へ、それ以外の紙葉類を該返却口に分別して集積することを特徴とする紙葉類取扱装置。
【請求項３】
紙葉類を受け入れる入金口と、
紙葉類を取り出す複数の取り出し口と、
該紙葉類の種別および損傷の大きさを判別する識別部と、
該紙葉類の種別と、該紙葉類の損傷の大きさを段階化した損傷レベルとを記憶する記憶部と、
紙葉類を一時的に集積する一時保留部と、
を備える紙葉類取扱装置において、
前記複数の取り出し口は、紙葉類を払い出す出金口と、紙葉類を返却する返却口とから構成され、
該入金口から受け入れた特定の紙葉類の種別および損傷の大きさを該識別部で判別し、
該判別された特定の紙葉類の種別および損傷レベルを記憶し、
当該記憶した特定の紙葉類と種別が同じで、当該記憶した特定の紙葉類の損傷レベルと同等又はそれより小さな損傷の大きさに相当する損傷レベルである紙葉類を該出金口へ、当該記憶した特定の紙葉類と種別が同じで、該特定の紙葉類の損傷レベルより大きな損傷の大きさに相当する損傷レベルである紙葉類を該一時保留部へ、それ以外の紙葉類を該返却口に分別して集積することを特徴とする紙葉類取扱装置。
【請求項４】
請求項１乃至３のいずれか一つに記載の紙葉類取扱装置において、
該特定の紙葉類は、該識別部で或る取引の最初に判別した紙葉類であることを特徴とする紙葉類取扱装置。
【請求項５】
請求項１乃至３のいずれか一つに記載の紙葉類取扱装置において、
該記憶部は、該識別部によって最初に判別された紙葉類を該特定の紙葉類として記憶することを特徴とする紙葉類取扱装置。
【請求項６】
請求項１乃至３のいずれか一つに記載の紙葉類取扱装置であって、
紙葉類を搬送する搬送手段を備え、
該搬送手段によって該識別部を最初に通過する紙葉類を該記憶部に該特定の紙葉類として記憶することを特徴とする紙葉類取扱装置。
【発明の詳細な説明】
【技術分野】
【０００１】
本発明は、紙葉類取扱装置に係り、特に金融機関等の窓口に設置され、窓口対応者によって使用される紙葉類取扱装置に関する。
【背景技術】
【０００２】
銀行業務の省力化のために、銀行窓口で使用される紙葉類取扱装置として、例えば、特開２０００−２５９８８２号公報に開示された紙幣整理機がある。
【０００３】
【特許文献１】特開２０００−２５９８８２号公報
【発明の開示】
【発明が解決しようとする課題】
【０００４】
金融機関等で扱われる紙幣は、定期的に中央銀行に返却される。このとき、紙幣の向きを揃えて返却しなければならないことがある。
【０００５】
従来の紙幣取扱装置を用いて紙幣の向きを揃えて整理する場合、分別したい種類の数の紙幣取り出し口と、その取り出し口への搬送路が必要であった。また、特許文献１の紙幣整理機の動作条件を設定する必要があり、操作が面倒であった。
【０００６】
本発明の目的は、紙幣を整理する際の窓口対応者の負担を軽減し、窓口業務の作業効率を向上することである。
【課題を解決するための手段】
【０００７】
本発明に係る紙葉類取扱装置は、好ましくは、紙葉類の受け入れ又は払い出しを行う紙葉類取扱装置において、紙葉類を受け付ける入金口と、紙葉類を払い出す出金口と、紙葉類を返却する返却口と、入金口から受け入れた紙葉類を一時的に集積する一時保留部と、紙葉類の種別、向き、損傷の程度を判別する識別部と、前記各部との間で紙葉類を搬送する搬送路と、出金口に収集する紙葉類の種別、向き、損傷の程度を記憶する記憶部と、紙葉類の種別、向き、損傷の程度などに応じて紙葉類の搬送先を切り替える手段とを有し、特定の紙葉類を出金口に収集する紙葉類取扱装置として構成される。
【発明の効果】
【０００８】
本発明によれば、窓口対応者が種別、向き、損傷の程度を個別に設定することなく紙葉類を選別するので、金融機関等の窓口対応者が紙葉類を整理する負担を軽減することができる。
【発明を実施するための最良の形態】
【０００９】
この発明の一実施形態を以下図面と共に説明する。
【実施例１】
【００１０】
図１は、本発明の一実施形態である紙葉類取扱装置の構成図である。この実施例では、紙葉類として紙幣を使用する場合について説明する。窓口端末装置１は、窓口対応者が顧客情報や取引情報などを扱うための端末装置である。この窓口端末装置１は、ＣＲＴや液晶ディスプレイ等で構成される表示部、キーボード、マウス等で構成される入力部、通信線３で接続された紙葉類搬送装置２と通信する通信部、ＣＰＵ等で構成される制御部、およびハードディスク等で構成される記憶部が備えられている。
【００１１】
紙葉類搬送装置２は、紙幣の払い出しや預け入れや整理を行う。この紙葉類搬送装置２は、通信線３によって２台の窓口端末装置１と接続されている。さらに装置の状態を監視するための管理端末装置９と接続することも可能である。
【００１２】
これらの窓口端末装置１、管理端末装置９、紙葉類搬送装置２で紙葉類取扱装置が構成されている。
【００１３】
スタートボタン４は、紙幣の預け入れや整理を開始する際に窓口対応者が押下するボタンである。入金口５は、窓口対応者が紙幣の預け入れや整理をする際に紙幣を紙葉類搬送装置２内に投入する投入口である。出金口６は、窓口対応者が紙幣の払い出し又は整理をした際に、紙葉類搬送装置２から出金された紙幣を取り出すために使用される。返却口７は、預け入れや整理の際に発生したリジェクト券を窓口対応者に返却するために使用される。
【００１４】
図２は、紙葉類搬送装置２の概略図を示す。
【００１５】
一時保留部２１は、計数した紙幣を一時的に集積する一時保管庫である。識別部２２は、紙幣の金種、真偽、向き、損傷の程度を判別する。収納部２３ａ〜２３ｄは、紙幣を種類別に集積する収納庫である。回収部２４は、識別部２２によってリジェクトされた紙幣を収納する収納庫である。上部搬送路２５は、入金口５、識別部２２、一時保留部２１、出金口６、返却口７をループして紙幣を搬送する搬送路である。下部搬送路２６は上部搬送路２５から収納部２３ａ〜２３ｄおよび回収部２４の上を経由して再び上部搬送路２５へと紙幣を搬送する搬送路である。
【００１６】
入金口搬送路２７は、入金口５から上部搬送路２５へと紙幣を搬送する搬送路である。出金口搬送路２８は、上部搬送路２５から出金口６へと紙幣を搬送する搬送路である。返却口搬送路２９は、上部搬送路２５から返却口７へと紙幣を搬送する搬送路である。一時保留部収納搬送路３０は、上部搬送路２５から一時保留部２１へと紙幣を搬送する搬送路である。一時保留部繰出搬送路３１は、一時保留部２１から上部搬送路２５へと紙幣を搬送する搬送路である。収納部収納搬送路３２ａ〜３２ｄは、下部搬送路２６から収納部２３ａ〜２３ｄへと紙幣を搬送する搬送路である。収納部繰出搬送路３３ａ〜３３ｄは、収納部２３ａ〜２３ｄから下部搬送路２６へと紙幣を搬送する搬送路である。回収部搬送路３４は、下部搬送路２６から回収部２４へと紙幣を搬送する搬送路である。
【００１７】
通過センサ３５は、紙幣が通過するのを検知するセンサである。ゲート３６は、紙幣を搬送する方向を切り替える。入金口紙葉類検知センサ３７は、入金口５に紙幣があるか否かを検知するセンサである。出金口紙葉類検知センサ３８は、出金口６に紙幣があるか否かを検知するセンサである。返却口紙葉類検知センサ３９は、返却口７に紙幣があるか否かを検知するセンサである。
【００１８】
図３は、紙葉類搬送装置２の制御ブロック図を示す。
【００１９】
紙葉類搬送装置２の制御部は、業務処理部２ａ、搬送処理部２ｂから構成される。業務処理主制御部１０１は、２台の窓口端末装置１および管理端末装置９の排他制御や各部位を制御する。上位通信制御部１０２は、窓口端末装置１および管理端末装置９との通信を制御する。ボタン制御部１０３は、スタートボタン４の制御をする。ブザー制御部１０４は、警報を制御する。ランプ制御部１０５は、ランプの点灯を制御する。表示器制御部１０６は、表示機を制御する。下位通信制御部１０７は、搬送処理部２ｂとの通信を制御する。時計制御部１０８は、時計の制御を行う。設定情報記憶部１０９は、業務処理部２ａの設定情報を記憶するための記憶部である。
【００２０】
また、搬送処理主制御部１１０は、紙幣の搬送を制御する。上位通信制御部１１１は、業務処理部２ａとの通信を制御する。センサ制御部１１２は、センサを制御する。ゲート制御部１１３は、ゲートを制御する。搬送モータ制御部１１４は、搬送用のモータを制御する。搬送路移動量計数部１１５は、搬送路移動量を計数する。識別処理部１１６は紙幣の判別を行う。入金口制御部１１７は、入金口５を制御する。出金口制御部１１８は、出金口６を制御する。収納庫制御部１１９は収納庫２３ａ〜２３ｄを制御する。一時保留庫制御部１２０は一時保管庫２１を制御する。記憶部１２１は、搬送処理２ｂの設定情報や最初に識別した紙幣の識別結果を記憶する。
【００２１】
図４には、窓口端末装置１に表示する窓口業務メニュー２１０の画面イメージ図を示す。図５には、窓口端末装置１に表示する整理業務メニュー２２０の画面イメージ図を示す。図６には、窓口端末装置１に表示する処理結果２３０の画面イメージ図を示す。
【００２２】
図４に示す業務メニュー画面２１０には、複数の業務メニューボタン２１１が設けられている。この業務メニューボタン２１１は、「入金業務」、「出金業務」、「整理業務」などのボタンで構成されている。業務メニューボタン２１１のうちマウスカーソルＣによって「整理業務」が選択されると、図５に示す整理業務メニュー画面２２０に移行する。
【００２３】
図５に示す整理業務メニュー画面２２０には、収集する紙幣を指定手段として金種指定部２２１、収集する紙幣の枚数を指定する手段としての枚数指定部２２２、収集する紙幣の向きを区別するか否かを選択する手段としての向き区別指定部２２３、収集する紙幣の向きを指定する手段としての向き指定部２２４、汚れの程度を区別して紙幣を収集するか否かを選択する手段としての汚れ判別指定部２２５、収集する紙幣の汚れの程度を指定する手段としての汚れレベル指定部２２６、紙幣の形状に関わる損傷（破れ、折れ、穴あきなど）の程度を区別して紙幣を収集するか否かを選択する手段としての形状判別指定部２２７、収集する紙幣の形状に関わる損傷の程度を指定する手段としての形状レベル指定部２２８、収集する紙幣として選択していない向き、汚れレベル、形状に関わる損傷レベルの紙幣をどこに搬送するかを指定するする手段としての指定外搬送先指定部２２９、処理開始ボタン２３０、およびキャンセルボタン２３１が設けられている。
【００２４】
金種指定部２２１は、出金口６に収集する紙幣の金種を選択させるコンボボックスである。本実施例では、入金口５から繰り出された紙幣のうち最初に識別部２２で識別した紙幣の金種と同じ金種の紙幣を出金口６に収集する「自動判別」を取り上げるが、特定の金種を指定する「１万円」、「５千円」、「１千円」、新旧の区別を指定する「新札のみ」、「旧札のみ」、紙葉類搬送装置２で取り扱うすべての金種を指定する「すべて」などの選択肢を指定することも可能である。
【００２５】
枚数指定部２２２は、出金口６に収集する紙幣の枚数を入力して指定させるテキストボックスである。
【００２６】
向き区別指定部２２３は、出金口６に収集する紙幣の向きを判別して収集するか否かを選択させるチェックボックスである。紙幣の向きを揃えて出金口６に収集するときにはチェックをつけ、紙幣の向きを気にせずに出金口６に収集するときはチェックを外す。
【００２７】
向き指定部２２４は、出金口６に収集する紙幣の向きを選択させるコンボボックスである。
【００２８】
図１０は、紙幣の向きを分類した例である。紙幣の向きを図１０で示すように分類した場合、識別部２２は、紙幣が通過するたびに紙幣の向きを判別し、「表・上」向きであれば判別結果を１、「表・下」向きであれば向き判別結果を２、「裏・上」向きであれば判別結果を３、「裏・下」向きであれば判別結果を４とする。
【００２９】
本実施例では、入金口５から繰り出された紙幣のうち最初に識別部２２で認識した紙幣の向きと同じ向きの紙幣を出金口６に収集する「自動判別」を取り上げるが、特定の向きを指定する「表・上向き」、「裏・上向き」、「裏・上向き」、「裏・下向き」、「表向き」、「裏向き」、「上向き」、「下向き」などの選択肢を指定することも可能である。
【００３０】
汚れ判別指定部２２５は、出金口６に収集する紙幣の汚れの程度を判別して収集するか否かを選択させるチェックボックスである。紙幣の汚れの程度を揃えて出金口６に収集するときはチェックをつけ、紙幣の汚れの程度を気にせずに出金口６に収集するときはチェックを外す。
【００３１】
汚れレベル指定部２２６は、出金口６に収集する紙幣の汚れの程度を選択させるコンボボックスである。
【００３２】
図１１は、紙幣の汚れの程度を分類した例を示す図である。紙幣の汚れの程度を図１１で示すように分類した場合、識別部２２は、紙幣が通過するたび紙幣の汚れの程度を判別し、ほとんど汚れのない状態(「高品位」)であれば判別結果を１、若干の汚れがある状態（「中品位」）であれば判定結果を２、ひどく汚れた状態（「低品位」）であれば判別結果を３とする。
【００３３】
本実施例では、入金口５から繰り出された紙幣のうち最初に識別部２２で識別した紙幣の汚れの程度と同等以上の紙幣を出金口６に収集する「自動判別」を取り上げるが、汚れがほとんどない紙幣だけを収集する「高品位」、汚れがひどい紙幣だけを収集する「低品位」、汚れの程度が中くらいまでの紙幣を収集する「高〜中品位」などの選択肢を指定することも可能である。
【００３４】
また、本実施例では、汚れの程度を３段階に分類しているが、さらに細かく分類することも可能である。
【００３５】
形状判別指定部２２７は、出金口６に収集する紙幣の形状に関わる損傷の程度を判別して収集するか否かを選択させるチェックボックスである。紙幣の形状に関わる損傷の程度を揃えて出金口６に収集するときはチェックをつけ、紙幣の形状に関わる損傷の程度を気にせずに出金口６に収集するときはチェックを外す。
【００３６】
形状レベル指定部２２８は、出金口６に収集する紙幣の形状に関わる損傷の程度を選択させるコンボボックスである。
【００３７】
図１２は、形状の損傷の程度を分類した図である。形状に関わる損傷の程度を図１２で示すように分類した場合、識別部２２は、紙幣が通過するたびに紙幣の形状に関わる損傷の程度を判別し、ほとんど損傷がない状態(「高品位」)であれば判別結果を１、若干の損傷がある状態（「中品位」）であれば判定結果を２、ひどく損傷した状態（「低品位」）であれば判定結果を３とする。
【００３８】
本実施例では、入金口５から繰り出された紙幣のうち最初に識別部２２で認識した紙幣の形状に関わる損傷の程度と同等以上の紙幣を出金口６に収集する「自動判別」を取り上げるが、形状がほとんど損傷していない紙幣だけを収集する「高品位」、形状がひどく損傷している紙幣だけを収集する「低品位」、形状の損傷の程度が中くらいまでの紙幣を収集する「高〜中品位」などの選択肢を指定することも可能である。
【００３９】
また、本実施例では、形状に関わる損傷の程度を３段階に分類しているが、さらに細かく分類することも可能である。
【００４０】
指定外搬送先指定部２２９は、入金口５に投入した紙幣の中に、収集する紙幣として選択しなかった向き、汚れ、形状の紙幣が混入していたとき、その紙幣をどこに搬送させるか、例えば「返却口」、あるいは「一時保留部」のどちらに搬送するかを選択させるコンボボックスである。
【００４１】
本実施例では、向き、汚れ、形状について一括して選択させているが、向き、汚れ、形状について個別に選択させることも可能である。
【００４２】
処理開始ボタン２３０は、マウスカーソルＣで選択されると、紙幣搬送装置２に対して整理業務の動作開始を指示する契機となるボタンである。
【００４３】
キャンセルボタン２３１は、マウスカーソルＣで選択されると整理業務メニュー画面２２０を終了して業務メニュー画面に戻るボタンである。
【００４４】
図６に示す処理結果画面２４０には、出金口６に収集した紙幣の金種を示すための金種表示部２４１、収集した紙幣の枚数を示すための枚数表示部２４２、図５整理業務メニュー画面２２０で選択した内容を示すための指定内容表示部２４３、整理業務を継続するための継続ボタン２４６、および整理業務を終了するための終了ボタン２４７が設けられている。
【００４５】
継続ボタン２４４をマウスカーソルＣで選択すると、整理業務メニュー画面２２０に戻り、次の整理業務に移行する。終了ボタン２４５をマウスカーソルＣで選択すると、整理業務を終了し、業務メニュー画面２１０に戻る。
【００４６】
以下、窓口対応者が、金種を自動判別、収集枚数を１００枚、紙幣の向き判別を有効にし、向きを自動判別、指定外金種を返却口７のように選択して、整理業務を行う場合について、図７〜９，１３を用いて説明する。
【００４７】
図７は、整理業務を行うときの窓口対応者、窓口端末装置１、および紙葉類搬送装置２の動作を示す動作フロー図である。
【００４８】
窓口対応者は、窓口端末装置１で整理業務のモードを選択する（ステップＳ１）。その後、窓口対応者は、窓口端末装置１に表示されている画面の処理開始ボタンを押下する（ステップＳ２）。
【００４９】
窓口端末装置１は、通信回線３を介して選択された整理計数モードを紙葉類搬送装置２に指示する（ステップＳ３）。
【００５０】
紙葉類搬送装置２の業務処理主制御部１０１は、整理処理の開始指示を受信すると、整理処理が可能か否かを判定し、可能であれば占有ランプ８を点灯するようランプ制御部１０５に指示する（ステップＳ４）。
【００５１】
また、業務処理主制御部１０１は、指示された整理計数のモードを記憶部１０９に記憶する（ステップＳ５）。
【００５２】
図１３は、紙幣の分別結果を示した図である。窓口対応者は、図１３で示すような複数の金種が混在し、向きが揃っていない紙幣の束を紙葉類搬送装置２の入金口５に投入し（ステップＳ６）、紙葉類搬送装置２のスタートボタン４を押下する（ステップＳ７）。
【００５３】
紙葉類搬送装置２は、窓口対応者によってスタートボタン４が押下されるのを検出したら、整理計数動作を開始する（ステップＳ８）。紙葉類搬送装置２の整理計数動作の詳細は、図８を用いて後述する。
【００５４】
なお、整理計数動作を開始する契機として、スタートボタン４を押下する方法だけでなく、窓口対応者が、窓口端末装置１を介して通知してもよい。また、紙葉類搬送装置２が、入金口紙葉類検知センサ３７で入金口５に紙幣があることを検出してから一定時間経過した後に自動的に開始してもよい。
【００５５】
業務処理主制御部１０１は、整理計数の動作が終了したら、上位通信制御部１０２を介して、窓口端末装置１に、整理計数の動作が終了したことを通知し、窓口端末装置１は、整理計数処理の結果を画面に表示する（ステップＳ９）。
【００５６】
窓口対応者は、紙葉類搬送装置２の返却口７に返却された紙幣がある場合は、それらを抜き取り（ステップＳ１０）、その後、出金口６に収集された紙幣を取り出す（ステップＳ１１）。返却口７から抜き取った紙幣のうち、出金口６に収集したい紙幣が含まれている場合、再度それらを入金口５に投入して、整理業務を繰り返せばよい。
【００５７】
整理業務を終了するときは、窓口対応者は、窓口端末装置１の画面にある整理業務終了ボタンを押下する（ステップＳ１２）。
【００５８】
窓口端末装置１は、通信回線３を介して整理計数の終了を紙葉類搬送装置２に指示する（ステップＳ１３）。
【００５９】
紙葉類搬送装置２の業務処理主制御部１０１は、整理処理の終了指示を受信すると、占有ランプ８を消灯するようランプ制御部１０５に指示し（ステップＳ１４）、記憶部１０９に記憶していた整理計数のモードを解除する（ステップＳ１５）。
【００６０】
図８は、紙葉類搬送装置の整理計数の動作フロー図である。紙葉類搬送装置２の整理計数動作の詳細について、図８を用いて説明する。
【００６１】
窓口対応者がスタートボタン４を押下すると、紙葉類搬送装置２の業務処理主制御部１０１は、ボタン制御部１０３からスタートボタン４押下の通知を受け、下位通信制御部１０７を介して搬送処理主制御部１１０に、整理計数モードとともに紙幣の搬送を開始するよう指示する。
【００６２】
搬送処理主制御部１１０は、搬送モータ制御部１１４に対し、各搬送路２５〜３４を動作させるよう指示する（ステップＳ１０１）。
【００６３】
搬送処理主制御部１１０は、入金口紙葉類検知センサ３７で入金口５に紙幣があるか否かを判定し(ステップＳ１０２)、紙幣がある場合は、入金口制御部１１７に対し、入金口５から紙幣を繰り出すよう指示し（ステップＳ１０３）、入金口５に紙幣がない場合は、搬送モータ制御部１１４に対し、各搬送路２５〜３４を停止させるよう指示する（ステップＳ１０７）。
【００６４】
入金口５から繰り出された紙幣が入金口搬送路２７上を搬送され、識別部２２を通過すると、識別処理部１１６は、通過した紙幣の金種、真偽、向き、汚れの程度、形状に関わる損傷の程度を判別する。
【００６５】
搬送処理主制御部１１０は、判別結果を識別処理部１１６から取得し（ステップＳ１０４）、紙幣の搬送先を決定する（ステップＳ１０５）。紙幣の搬送先を決定する処理については、図９を用いて後述する。
【００６６】
搬送処理主制御部１１０は、出金口６に収集の対象となっている紙幣を指定された枚数だけ収集したか否かを判定し（ステップＳ１０６）、指定された枚数に達している場合は、搬送モータ制御部１１４に対し、各搬送路２５〜３５を停止させるよう指示する（ステップＳ１０７）。指定された枚数に達していない場合は、上記の処理を繰り返す。
【００６７】
搬送処理主制御部１１０は、返却口７にリジェクトした紙幣、収集する対象でない金種、向きなど紙幣があるか否かを判定し（ステップＳ１０８）、返却口紙葉類検知センサ３９で返却口７に紙幣があることを検出したら、返却口７から紙幣が抜き取られるのを待つ（ステップＳ１０９）。
【００６８】
窓口対応者が返却口７から紙幣を抜き取り、搬送処理主制御部１１０は、返却口紙葉類検知センサ３９で返却口７に紙幣がないことを検出すると、続いて一時保留部２１に紙幣があるか否かを判定する（ステップＳ１１０）。
【００６９】
一時保留部２１に紙幣がある場合は、搬送処理主制御部１１０は、搬送路を動作させるよう搬送モータ制御部１１４に指示し（ステップＳ１１１）、一時保留部２１から紙幣を繰り出すよう一時保留部制御部１２０に指示する（ステップＳ１１２）。
【００７０】
搬送処理主制御部１１０は、返却口７が満杯か、あるいは一時保留部２１が空か否かを判定し（ステップＳ１１３）、一時保留部２１にある紙幣がすべてなくなるまで、一時保留部２１から返却口７に紙幣を搬送する動作を繰り返す。
【００７１】
返却口７、一時保留部２１の紙幣がともになくなったら、出金口６に収集した紙幣を窓口対応者に取り出してもらうため、搬送処理主制御部１１０は、出金口６のシャッタを開けるよう出金口制御部１１７に指示し、出金口６から紙幣が抜き取られるのを待つ（ステップＳ１１４）。
【００７２】
搬送処理主制御部１１０は、出金口紙葉類検知センサ３８で紙幣がないことを検出したら、上位通信制御部１１１を介して、整理計数動作が終了したことを業務処理主制御部１０１に通知する（ステップＳ１１５）。
【００７３】
図９は、紙幣の搬送先を制御する処理フロー図である。搬送先を決める処理の詳細について図９を用いて説明する。
【００７４】
搬送処理主制御部１１０は、整理計数モードにおいて、金種の自動判別モードが指定され、かつ対象の紙幣が識別部２２で金種を判別できた１枚目の紙幣か否かを判定する（ステップＳ２０１）。
【００７５】
本実施例では、金種を自動判別するように設定されているので、当該紙幣の判別結果が、１枚目の紙幣であれば、搬送処理主制御部１１０は、当該紙幣の金種を出金口６に収集する金種として、記憶部１２１に記憶する（ステップＳ２０２）。
【００７６】
図１３で示した紙幣の束の場合、１枚目の紙幣の金種は「万円」なので、識別処理部１１６の判別結果は「１０Ｋ」となり、出金口６に収集する紙幣の金種として、記憶部１２１に「１０Ｋ」と記憶される。
【００７７】
続いて、搬送処理主制御部１１０は、当該紙幣の金種が、記憶部１２１に記憶している出金口６に収集する金種に該当するか否を判定する（ステップＳ２０３）。収集する金種と異なる場合、搬送処理主制御部１１０は、返却口７に紙幣を搬送する方向にゲートを切り替えるようゲート制御部１１３に指示する（ステップＳ２１７）。
【００７８】
図１３で示した紙幣の束の場合、７枚目の紙幣の金種は「千円」、８枚目の紙幣の金種は「５千円」なので、識別処理部１１６の判定結果は、それぞれ「１Ｋ」、「５Ｋ」となり、記憶部１２１に記憶されている金種「１０Ｋ」とは異なるため、返却口７に集積される。
【００７９】
次に、搬送処理主制御部１１０は、向き判別モードが指定されているか否かを判定する（ステップＳ２０４）。向き判別モードが指定されている場合は、続いて、向き自動判別モードが指定されていて、かつ対象の紙幣が１枚目か否かを判定する（ステップＳ２０５）。
【００８０】
本実施例では、向きを自動判別するように設定されているので、当該紙幣の判別結果が、１枚目の紙幣であれば、搬送処理主制御部１１０は、当該紙幣の向きを出金口６に収集する向きとして、記憶部１２１に記憶する（ステップＳ２０６）。
【００８１】
図１３で示した紙幣の束の場合、１枚目の紙幣の向きは「表・上」向きなので、識別処理部１１６の判定結果は「１」となり、出金口６に収集する紙幣の向きとして、記憶部１２１に「１」と記憶される。
【００８２】
続いて、搬送処理主制御部１１０は、当該紙幣の向きが、出金口６に収集する向きに該当するか否かを判定する（ステップＳ２０７）。
【００８３】
１枚目の紙幣の場合は、出金口６に収集する紙幣となるので、搬送処理主制御部１１０は、出金口６に紙幣を搬送する方向にゲートを切り替えるようゲート制御部１１３に指示する。２枚目以降の紙幣の場合は、搬送処理主制御部１１０は、当該紙幣の向きが記憶部１２１に記憶している収集向きと同じか否かを判定し、収集向きと異なる場合は、指定外搬送先指定部２２９で指定された場所に紙幣を搬送する方向にゲートを切り替えるようゲート制御部１１３に指示する（ステップＳ２１８）。本実施例では、「一時保留部」としているので、一時保留部２１の方向にゲートを切り替える。
【００８４】
図１３で示した紙幣の束の場合、３枚目の紙幣の向きは「表・下」、５枚目の紙幣の向きは「裏・下」、６枚目の紙幣の向きは「裏・上」なので、識別処理部１１６の判定結果は、それぞれ「２」、「４」、「３」となり、記憶部１２１に記憶されている向き「１」とは異なるため、一時保留部２１に集積される。
【００８５】
次に、搬送処理主制御部１１０は、汚れ判別モードが指定されているか否かを判定する（ステップＳ２０８）。汚れ判定モードが指定されている場合、続いて、汚れ自動判別モードが指定されていて、かつ対象の紙幣が１枚目か否かを判定する（ステップＳ２０９）。条件に該当する場合、搬送処理主制御部１１０は、当該紙幣の汚れのレベル（例えば、汚れの大きさ、汚れの色の濃さ、汚れの数など）を出金口６に収集する汚れレベルの基準として、記憶部１２１に記憶する（ステップＳ２１０）。
【００８６】
次に、搬送処理主制御部１１０は、当該紙幣の汚れのレベルが、出金口６に収集する汚れのレベルに該当するか否か、つまり記憶している汚れのレベルより汚れていない状態のレベルであるか否かを判定する（ステップＳ２１１）。
【００８７】
出金口６に収集する汚れのレベルに該当しない、つまり記憶している汚れのレベルより汚れている状態のレベルである場合、搬送処理主制御部１１０は、指定外搬送先指定部２２９で指定された場所に紙幣を搬送する方向にゲートを切り替えるようゲート制御部１１３に指示する（ステップＳ２１８）。
【００８８】
次に、搬送処理主制御部１１０は、形状判別モードが指定されているか否かを判定する（ステップＳ２１２）。形状判定モードが指定されている場合、続いて、形状自動判別モードが指定されていて、かつ対象の紙幣が１枚目か否かを判定する（ステップＳ２１３）。条件に該当する場合、搬送処理主制御部１１０は、当該紙幣の形状に関わる損傷の程度（例えば、損傷の大きさ、損傷の数、損傷している場所、損傷の方向など）を段階化した損傷レベルを出金口６に収集する形状レベルの基準として、記憶部１２１に記憶する（ステップＳ２１４）。
【００８９】
次に、搬送処理種制御部１１０は、当該紙幣の形状に関わる損傷のレベルが、出金口６に収集する形状に関わる損傷のレベルに該当するか否か、つまり記憶している形状に関わる損傷のレベルより損傷していない状態（例えば、損傷の大きさが小さい、損傷の数が少ない、損傷している場所が重要な場所でない、損傷の方向が鑑別に影響に及ぼすなど）のレベルであるか否かを判定する（ステップＳ２１５）。
【００９０】
出金口６に収集する形状に関わる損傷のレベルに該当しない、つまり記憶している形状に関わる損傷のレベルより損傷している状態（例えば、損傷の大きさが大きい、損傷の数が多い、損傷している場所が重要な場所である、損傷の方向が鑑別に影響を及ぼすなど）のレベルである場合、搬送処理主制御部１１０は、指定外搬送先指定部２２９で指定された場所に紙幣を搬送する方向にゲートを切り替えるようゲート制御部１１３に指示する（ステップＳ２１８）。
【００９１】
以上のように紙幣の搬送先について判定を行い、最終的に出金口６に収集する紙幣と判定された場合、搬送処理主制御部１１０は、出金口６に紙幣を搬送する方向にゲートを切り替えるようゲート制御部１１３に指示する（ステップＳ２１６）。
【００９２】
図１３のように向きが揃っていない１万円の束に千円、５千円が混入しているとき、指定外搬送先指定部２２９において、「返却口」を選択した場合は、千円、５千円と１万円の向きの違いを分別して収集しないので、向きを揃えるのに、窓口対応者は、入金口５に紙幣を投入する操作を４回繰り返す必要があるが、「一時保留部」を選択した場合は、１回目の操作で千円、５千円と向き違いの１万円を分別して収集できるので、操作を３回繰り返せばよい。これにより分別する時間が短縮できる上、窓口対応者の負担を軽減させることができる。
【００９３】
また、一時保留部２１を有することにより、２つしか紙幣を取り出すための口である取り出し口（出金口６と返却口７）を有していなくても、３種類の紙幣群（上記例で言うと、表・上向きの万円札、表・上向き以外の万円札、５千円札・千円札）を取り出すことが可能となる。
【００９４】
更に、この一時保留部２１を利用すれば、紙幣を取り出す口が１つであっても、紙葉類の姿勢を分別して、窓口対応者が指定した順番に紙幣を出金口６等の紙幣取り出し口に集積する連続分別モードも可能である。
【００９５】
例えば、連続分別モードを利用したならば、窓口対応者は、図示しない画面より、取り出し口として指定した出金口６に収集する紙幣の金種及び姿勢等を、順番を付けて指定する。記憶部１２１は、窓口対応者の指定した収集する紙幣の金種及び姿勢等を、順番を付けて記憶する。また、搬送処理主制御部１１０は、収納部２３ａ〜２３ｄのいずれか１つを空とする。
【００９６】
続いて、搬送処理主制御部１１０は、記憶部１２１に記憶された１番目の金種及び姿勢等の紙幣ならば、出金口６に集積する。１番目以外の金種及び姿勢等の紙幣は、一時保留部２１に集積する。続いて、一時保留部２１から、１番目以外の金種及び姿勢等の紙幣を、搬送処理主制御部１１０にて判定し、記憶部１２１に記憶された２番目の金種及び姿勢等の紙幣ならば、出金口６に集積し、２番目以外の金種及び姿勢等の紙幣ならば、空にした収納部２３a〜２３dに集積する。一時保管庫２１の紙幣（１番目の金種及び姿勢等以外の紙幣）がなくなったら、空にした収納部２３ａ〜２３ｄに集積した紙幣（２番目以外の金種及び姿勢等の紙幣）を、一時保留部２１に搬送する。
【００９７】
続いて、一時保留部２１から、集積した２番目以外の金種及び姿勢等の紙幣を、搬送処理主制御部１１０にて判定し、記憶部１２１に記憶された３番目の金種及び姿勢等の紙幣ならば、出金口６に集積し、３番目以外の金種及び姿勢等の紙幣ならば、空にした収納部２３ａ〜２３ｄに集積する。一時保管庫２１の紙幣（３番目の金種及び姿勢等以外の紙幣）がなくなったら、空にした収納部２３ａ〜２３ｄに集積した紙幣（３番目以外の金種及び姿勢等の紙幣）を、一時保留部２１に搬送する。
【００９８】
このように、上記処理を繰り返すことにより、窓口対応者が設定した紙幣の金種及び姿勢等の順番に従い出金口６に紙幣を集積することが可能となる。ここで、金種及び姿勢等としたが、汚れや形状に関わる損傷の程度によって紙幣を選別、収集してもよい。
【００９９】
このように紙幣を分別することで、少数の取り出し口と少数の搬送路での紙幣分別が可能となり、製造コストを低減すると共に、一つの取り出し口に分別された紙幣を集積することにより、窓口対応者の負担を軽減することが可能となる。
【０１００】
図１４は、１枚目がリジェクトしたときの紙幣の分別結果を示す図である。図１４で示すように、もし１枚目の紙幣が大スキューなど、なんらかの要因によって、識別部２２が金種を判別できなかった場合、識別処理部１１６の判別結果は「リジェクト」となり、１枚目の紙幣の搬送先は返却口７にとなってしまう。
【０１０１】
本実施例では、１枚目の紙幣がリジェクトされた場合でも入金口５から紙幣を繰り出し続けるので、２枚目以降の紙幣で最初に識別部２２で金種を判別できた紙幣の判別結果に従い、紙幣の束を分別して集積する。図１４では、２枚目の紙幣が最初に識別部２２で金種を判別できた場合の紙幣の分別結果を示している。
【０１０２】
図９で示した搬送先を制御する搬送処理種制御部１１０の処理フロー図は、識別部２２で最初に判別した紙幣の向き、汚れや形状に関わる損傷の程度に応じて出金口６に集積するか否かを選択することができ、また、出金口６に収集する金種ではあるが、向き、汚れや形状に関わる損傷の程度が出金口６に収集する対象ではない紙幣を一時保留部２１に集積するか否かを選択する手段を備えた実施形態における処理フロー図であったが、図９（ａ）〜（ｄ）の部位は、それぞれ組み合わせて実装することも可能であり、（ｂ）だけを実装する実施形態、（ｃ）だけを実施する形態、（ａ）と（ｂ）を実装する実施形態、（ａ）と（ｃ）を実装する実施形態、（ａ）と（ｂ）と（ｃ）を実装する実施形態などが可能である。
【０１０３】
なお、本実施例では、記憶した汚れのレベルを基準に汚れた紙幣と汚れていない紙幣とに分別したが、記憶した汚れのレベルと同等レベルを有する紙幣とそれ以外の紙幣に分別することも可能である。また、形状に関わる損傷のレベルについても同様にすることが可能である。
【０１０４】
また、別の実施形態として、１枚目の紙幣がリジェクトされたら、入金口５から紙幣を繰り出すことを停止し、窓口対応者に紙幣の分別を継続するか否かを選択させ、継続が選択された後に上記の動作を再開することも可能である。
【０１０５】
以上のようにして、紙幣の整理業務において、簡便な操作で紙幣の金種に加え、紙幣の向き、汚れや形状に関わる損傷の程度によって紙幣を選別、収集することができる紙葉類取扱装置を提供することで、窓口対応者の負担を軽減し、窓口業務の効率を向上させることができる。
【図面の簡単な説明】
【０１０６】
【図１】紙葉類取扱装置の構成図
【図２】紙葉類搬送装置の概略図
【図３】紙葉類搬送装置の制御ブロック図
【図４】窓口業務メニューの画面イメージ図
【図５】整理業務メニューの画面イメージ図
【図６】処理結果の画面イメージ図
【図７】整理業務処理の動作フロー図
【図８】紙葉類搬送装置の整理計数の動作フロー図
【図９】紙幣の搬送先を制御する処理フロー図
【図１０】紙幣の向きを分類した例を示す図
【図１１】汚れの程度を分類した例を示す図
【図１２】形状の損傷の程度を分類した例を示す図
【図１３】紙幣の分別結果を示す図
【図１４】１枚目がリジェクトしたときの紙幣の分別結果を示す図
【符号の説明】
【０１０７】
１…窓口端末装置、２…紙葉類搬送装置、３…通信線、４…スタートボタン、５…入金口、６…出金口、７…返却口、８…占有ランプ、９…管理端末装置、２１…一時保留部、２２…識別部、２３ａ〜２３ｄ…収納部、２４…回収庫、２５〜３４…各種搬送路、３５…通過センサ、３６…ゲート、３７…入金口紙葉類検知センサ、３８…出金口紙葉類検知センサ、３９…返却口紙葉類検知センサ
【図１】
0005216308.tif 000002
【図２】
0005216308.tif 000003
【図３】
0005216308.tif 000004
【図４】
0005216308.tif 000005
【図５】
0005216308.tif 000006
【図６】
0005216308.tif 000007
【図７】
0005216308.tif 000008
【図８】
0005216308.tif 000009
【図９】
0005216308.tif 000010
【図１０】
0005216308.tif 000011
【図１１】
0005216308.tif 000012
【図１２】
0005216308.tif 000013
【図１３】
0005216308.tif 000014
【図１４】
0005216308.tif 000015